(57)【特許請求の範囲】
【請求項１】
前端には、樋の前耳を掛止する樋前耳掛止部を、後端には、樋の後耳を掛止する樋後耳掛止部を有する樋支持具本体を一体的に形成してなる樋支持具であって、
上記樋前耳掛止部及び樋後耳掛止部の少なくとも一方には、連結手段を介して、樋の形状に応じた樋耳掛止補助具が着脱自在に装着されたことを特徴とする樋支持具。
【請求項２】
請求項１において、
上記連結手段は、上記樋前耳掛止部及び樋後耳掛止部の少なくとも一方をクリップ式に弾性挟持する弾性片を含む構造にしたことを特徴とする樋支持具。
【請求項３】
請求項１又は２の何れかにおいて、
上記連結手段は、上記樋支持具本体の一端に形成された連結孔と、
この連結孔に着脱自在に係止すべく上記樋耳掛止補助具に形成された爪片とを含む構造にしたことを特徴とする樋支持具。
【請求項４】
樋の形状に応じた形状をなし、樋の前耳を掛止する樋前耳掛止部と、樋の後耳を掛止する樋後耳掛止部とを有する樋支持具本体の上記樋前耳掛止部及び樋後耳掛止部の少なくとも一方には、連結手段を介して着脱自在に装着される構造にしたことを特徴とする樋耳掛止補助具。
【発明の詳細な説明】
【０００１】
【発明の属する技術分野】
【０００２】
本発明は、軒先等に配設される軒樋を支持する樋支持具及び樋耳掛止補助具に関する。
【従来の技術】
【０００３】
従来の樋支持具は、軒先等に固定される取付具と、樋を吊下げて支持する吊具本体とを少なくとも備えてなり、この吊具本体の前端には、樋の前耳を掛止する係止部が形成され、且つ、後端には、樋の後耳を掛止する耳抱持部を一体形成している（例えば、特許文献１参照。）。
【特許文献１】
登録実用新案登録第３０５００９８号公報（第１図）
【発明が解決しようとする課題】
【０００４】
しかしながら、従来の樋支持具では、係止部及び耳抱持部が吊具本体に一体形成されているため、樋の形状に対応する数の吊具本体或いは樋支持具が必要であった。
【０００５】
そのため、樋の形状に応じた数々の吊具本体を製造、保管しておかなければならず、金型コスト、管理コスト、生産コスト等が高コストになってしまうという問題があった。
【０００６】
また、作業現場などでは、急な設計変更等によって、使用される樋の種類が変更される場合があるが、このような樋の種類の急な変更に対応することはできないという問題もあった。
【０００７】
本発明は、かかる課題を解決することを目的とするもので、樋の形状に応じた樋支持具本体を素早く形成できる低コストな樋支持具及び樋耳掛止補助具を提供している。
【課題を解決するための手段】
【０００８】
上記目的を達成するため、
請求項１に係る樋支持具は、前端には、樋の前耳を掛止する樋前耳掛止部を、後端には、樋の後耳を掛止する樋後耳掛止部を有する一体的に樋支持具本体を形成してなる樋支持具であって、上記樋前耳掛止部及び樋後耳掛止部の少なくとも一方には、連結手段を介して、樋の形状に応じた樋耳掛止補助具が着脱自在に装着される構造にしたことを特徴とする。
【０００９】
ここでの樋支持具本体は、予め樋前耳掛止部及び樋後耳掛止部が一体形成された従来構造のものを意味している。
【００１０】
そのため、樋の形状に応じた樋耳掛止補助具を適宜選択し、その選択したものを連結手段によって樋前耳掛止部及び樋後耳掛止部に装着できるので、樋支持具本体の共用による管理コスト、生産コスト、金型コズト等のコストを軽減できるうえ、既存の樋支持具を利用できる。
【００１１】
請求項２に係る樋支持具は、請求項１において、上記連結手段は、上記樋前耳掛止部及び樋後耳掛止部の少なくとも一方をクリップ式に弾性挟持する弾性片を含む構造にしたことを特徴とする。
【００１２】
このものでは、連結手段としてクリップ式に弾性挟持する弾性片を含むので、特殊な工具を用いなくても、弾性片の弾性力による確実な装着ができる。
【００１３】
請求項３に係る樋支持具は、請求項１又は２の何れかにおいて、上記連結手段は、上記樋支持具本体の一端に形成された連結孔と、この連結孔に着脱自在に係止すべく上記樋耳掛止補助具に形成された爪片とを含む構造にしたことを特徴とする。
【００１４】
このものでは、連結手段は、連結孔と爪片とを含む構造にしているので、特殊な工具を用いなくても、手やペンチ、ドライバー等で素早く装着することができる。
【００１５】
請求項４に係る樋耳掛止補助具は、樋の形状に応じた形状をなし、樋の前耳を掛止する樋前耳掛止部と、樋の後耳を掛止する樋後耳掛止部とを有する樋支持具本体の上記樋前耳掛止部及び樋後耳掛止部の少なくとも一方には、連結手段を介して着脱自在に装着される構造にしたことを特徴とする。
【００１６】
このものでは、請求項１〜請求項３のものと同様の効果が発揮される樋耳掛止補助具として、それ自体を単独で取引することができる。
【発明の実施の形態】
【００１７】
図１は、本発明に係る樋支持具の前提を参考例として示す分解斜視図である。
【００１８】
この樋支持具Ａは、取付杆１と、スライド可能に連結した樋支持具本体２と、水平方向に回転させる横回転ロックレバー３とを備え、これらを上下に貫通する連結軸４で連結している。
【００１９】
以下、各部材について詳説する。
【００２０】
取付杆１は、軒先等に固定される取付足板１１の上端中央から前方に向けて足杆１２を延設し、この足杆１２の前方には、段落ち形成した連結片部１３を形成し、この連結片部１３には、軸孔１４を開設している。
【００２１】
樋支持具本体２は、長板状に形成され、この長手方向中央には、連結軸４が貫通される長孔２１を開設し、この長孔２１に沿った上下面には、鋸刃状、又は波状の凹凸部２２を形成している。
【００２２】
この樋支持具本体２の前端には、樋Ｔの形状に応じて、樋Ｔの前耳Ｔ１を掛止する樋前耳掛止部２２を、後端には、樋Ｔの後耳Ｔ２を掛止する樋後耳掛止部２３が各々形成されるのであるが、これらの樋前耳掛止部２２、樋後耳掛止部２３の少なくとも一方が、連結手段２４を介して、樋支持具本体２の一端に着脱自在に連結される構造にしている。
【００２３】
図１で示した連結手段２４は、樋支持具本体２の前端に形成した連結孔２５に、樋前耳掛止部２２に形成した爪片２６を上方から差し込むと共に、長孔２１の前端に樋前耳掛止部２２の爪片２６’を引掛けて、樋前耳掛止部２２の前、後移動を規制しながら連結している。
【００２４】
また、樋前耳掛止部２２の両側端には、樋支持具本体２の両側端２８をクリップ式に弾性挟持する板バネ等の一対の弾性片２７を下方に向けて延設し、この弾性片２７を手やペンチなどで拡開させながら樋支持具本体２に嵌め込めば、弾性片２７の弾性復元力によって、樋支持具本体２の両側を確実に弾性挟持し、樋前耳掛止部２２の左、右移動を規制しながら連結している。
【００２５】
これらの協働作用によって、樋前耳掛止部２２は、ガタツクことなく樋支持具本体２の前端に確実に連結できる。
【００２６】
一方、樋支持具本体２の後端には、後方に開放された長孔状の連結孔２５に、これに嵌合する樋後耳掛止部２３の爪片２６を後方から差し込んで、樋後耳掛止部２３の前、後移動を規制しながら連結している。
【００２７】
また、樋後耳掛止部２３の両側端にも、上記同様に弾性片２７を形成しておけば、弾性片２７の弾性復元力によって、樋支持具本体２の両側を確実に弾性挟持し、樋後耳掛止部２３の左、右移動を規制でき、これらの協働作用によって、樋後耳掛止部２３も、ガタツクことなく樋支持具本体２の後端に確実に連結できる。
【００２８】
また、樋支持具本体２の前、後端に連結された樋前耳掛止部２２及び樋後耳掛止部２３を離脱させるには、先程とは逆に、弾性片２７の弾性復元力に抗して、手やペンチなどで拡開しながら樋支持具本体２の両側から開放させると共に、爪片２６を連結孔２５から引き抜けば、樋前耳掛止部２２及び樋後耳掛止部２３を樋支持具本体２から簡単に離脱することができる。
【００２９】
もちろん、これらの連結手段２４の構造は例示に過ぎず、要するに、樋前耳掛止部２２や樋後耳掛止部２３が、樋支持具本体２の一端に着脱自在に確実に連結される構造のものであれば良い。
【００３０】
なお、本実施例では、樋前耳掛止部２２及び樋後耳掛止部２３が、樋支持具本体２の一端に各々着脱自在に連結される構造のものを例示しているが、樋Ｔの形状に応じて、何れか一方だけを着脱自在した構造のものでも勿論可能である。
【００３１】
横回転ロックレバー３は、座金部３０と基板部３１とより構成してなる。
【００３２】
座金部３０には、連結軸４を貫通する軸孔部３２が形成されると共に、その下面の前、後には、下方に突出された一対の膨出部３３を形成している。
【００３３】
基板部３１には、連結軸４を貫通する軸孔部３４が形成されると共に、その両側には、下方に向けて延設された一対の下側把持部３５を形成し、この下側把持部３５を摘んで横回転ロックレバー３を下側から横回転操作できるようにしている。
【００３４】
連結軸４は、取付杆１の軸孔１４、樋支持具本体２の長孔２１、横回転ロックレバー３の軸孔部３２、３４を貫通する軸部４１を備えており、ここでは、リベットを例示しているが、一対のボルト、ナットを用いることも可能である。
【００３５】
このように構成した樋支持具Ａは、図１で示すように連結軸４を、取付杆１の軸孔１３、樋支持具本体２の長孔２１、横回転ロックレバー３の軸孔部３２に順次貫通し、この連結軸４の下端にバネワッシャなどの弾性体７、座金８を挿通したうえで、その下端をカシメ止めすることで連結されており、樋支持具本体２を前後にスライド可能にしている。
【００３６】
このように、本実施例に係る樋支持具Ａによれば、樋前耳掛止部２２及び樋後耳掛止部２３の少なくとも一方を、連結手段２４によって、樋支持具本体２と着脱自在な構造にしているので、１つの樋支持具本体２に対して、樋Ｔの形状に応じた樋前耳掛止部２２（樋後耳掛止部２３）を適宜選択すれば、樋Ｔに応じた樋支持具Ａを簡単且つ素早く形成できる。
【００３７】
また、樋支持具本体２が共用できるので、従来のように樋Ｔの形状に応じた樋支持具本体を製造する必要がなく、金型の形状も簡易にできるので、これに伴う金型コスト、管理コスト、生産コスト等を軽減できる。
【００３８】
また、作業現場などでの急な設計変更等によって、使用される樋Ｔの種類が変更される場合であっても、樋前耳掛止部２２（樋後耳掛止部２３）を樋支持具本体２に取付けるだけで、容易に対応できる。
【００３９】
図２は、本発明に係る樋支持具の一実施例を示す分解斜視図である。
【００４０】
なお、図１と共通する部位には、共通の番号を付し、その説明については省略する。
【００４１】
この樋支持具Ａは、樋支持具本体２の前、後に樋前耳掛止部２２’及び樋後耳掛止部２３’ が予め一体的に形成されているものに加え、これらの樋前耳掛止部２２’及び樋後耳掛止部２３’の少なくとも一方に、連結手段２４を介して、樋耳掛止補助具５が着脱自在に装着される構造にした点に特徴がある。
【００４２】
ここで、「装着」とは、樋前耳掛止部２２’（樋後耳掛止部２３’）に被せて取付けることを意味し、樋前耳掛止部２２’（樋後耳掛止部２３’）とは異なる形状に変化させるものである。
【００４３】
例えば、樋前耳掛止部２２’に装着される樋耳掛止補助具５は、樋Ｔの前耳Ｔ１の形状に応じた樋前耳掛止部２２を備え、この樋前耳掛止部２２の両側端には、樋前耳掛止部２２’の両側端をクリップ式に弾性挟持する板バネ等の一対の弾性片２７を内側に向けて延設した連結手段２４が形成され、この弾性片２７を手やペンチなどで拡開させながら樋前耳掛止部２２’の前方から嵌め込めば、弾性片２７の弾性復元力によって、樋前耳掛止部２２’の両側を確実に弾性挟持するので、前後、左右への移動を規制しながら、樋前耳掛止部２２が確実に装着できる。
【００４４】
より具体的には、樋耳掛止補助具５の樋前耳掛止部２２は、その中央部分を内方に湾曲させて形成しており、この湾曲された先端突部が樋前耳掛止部２２’の外面に当接されることによって、樋耳掛止補助具５の両端が上記湾曲分だけ内方に撓むことができるので、一対の弾性片２７が、樋前耳掛止部２２’の両側を確実に弾性挟持できる。
【００４５】
また、２８は、樋前耳掛止部２２の下端から後方に向けて延設された規制片であり、この規制片２８が樋前耳掛止部２２’の下面に位置付けされることで、樋前耳掛止部２２の上方への抜け外れを防止できる。
【００４６】
一方、樋支持具本体２の後端にも、樋後耳掛止部２３を備えた樋耳掛止補助具５を装着することができる。
【００４７】
ここでの樋耳掛止補助具５は、樋Ｔの後耳Ｔ２の形状に応じた樋後耳掛止部２３を備え、この樋後耳掛止部２３の下端には、樋後耳掛止部２３’の外面をクリップ式に弾性挟持する板バネ等の弾性片２７が内側に向けて延設されると共に、樋後耳掛止部２３の上端から後方に向けて延設した平坦部２３ａを形成し、この平坦部２３ａの後端から更に立起された面の中央には、後方に向けて鍵状の爪片２６を形成している。
【００４８】
この樋耳掛止補助具５の爪片２６に対応して、樋支持具本体２の後端には、連結孔２５が形成されており、この連結孔２５に爪片２６が係止されて連結される構造にしている。
【００４９】
すなわち、連結孔２５に爪片２６を係止したうえで、樋後耳係止部２３を手やペンチなどで後方に向けて押し込めば、弾性片２７が樋後耳掛止部２３’の下端に規制されて一旦折り畳まれるが、弾性片２７端縁が樋後耳掛止部２３’を越えると、弾性片２７の弾性復元力によって、弾性片２７端縁が樋後耳掛止部２３’の外面（後面）に係止されて弾性挟持するので、これらの協働作用によって、樋耳掛止補助具５がガタツクことなく、樋後耳掛止部２３を確実に装着できる。
【００５０】
なお、本実施例では、樋前耳掛止部２２及び樋後耳掛止部２３が、樋支持具本体２の一端に各々着脱自在に連結される構造のものを例示しているが、何れか一方だけを着脱自在な構造にしたものでも良い。
【００５１】
図３（ａ）、（ｂ）は、図２の使用態様を説明するための要部の概略側面図である。
【００５２】
なお、図２と共通する部材には、共通の番号を付し、その説明は省略する。
【００５３】
本実施例の樋支持具Ａは、例えば、図３（ａ）で示すように、当初、樋Ｔ’の前耳Ｔ１’及び後耳Ｔ２’の形状に応じた樋前耳掛止部２２’及び樋後耳掛止部２３’を備えた樋支持具本体２を使用する予定であったものが、作業現場などでの急な設計変更等によって、図３（ｂ）で示すような樋Ｔの形状に変更されるような場合において、この樋Ｔを当初の樋支持具本体２に仮に取付けできたとしても、そこには、ガタツキや抜け外れなどの問題が生じ、危険である。
【００５４】
そのため、この樋Ｔの前耳Ｔ１の形状に応じた樋耳掛止補助具５を、上記のように樋前耳掛止部２２’に装着するだけで、簡単且つ安全に対応することができる。
【００５５】
なお、樋Ｔの後耳Ｔ２の形状に応じた樋耳掛止補助具５（不図示）も同様である、
このように、本実施例に係る樋支持具Ａによれば、予め形成されている樋前耳掛止部２２’（樋後耳掛止部２３’）があっても、これに樋Ｔの形状に応じた樋前耳掛止部２２（樋後耳掛止部２３）を備えた樋耳掛止補助具５を装着する構造にしているので、既存の樋支持具本体を利用できる。
【００５６】
また、樋支持具本体２を共用できるので、従来のように樋Ｔの形状に応じた樋支持具本体を製造しなくても樋耳掛止補助具５を製造すれば足り、金型の形状も簡易にでき、これに伴う金型コスト、管理コスト、生産コスト等を軽減できる。
【００５７】
また、作業現場などでの急な設計変更等によって、使用される樋Ｔの種類が変更される場合であっても、これに応じた樋前耳掛止部２２（樋後耳掛止部２３）を樋支持具本体２に装着するだけで、特殊な工具を用いなくとも、これを簡単且つ確実に取付けできる。
【００５８】
また、図１〜図３では、取付杆１と樋支持具本体２とが、別体に形成されたものを例示しているが、両者を一体的に形成したもの、或いは、樋Ｔを吊下げるのではなく、樋支持具本体２の全体で受止めるタイプのもの等、これ以外にも様々なタイプの樋支持具であっても同様である。
【００５９】
なお、図１で示した樋前耳掛止部２２（樋後耳掛止部２３）は、それ自体、単独で取引される樋耳掛止補助具５として捉えることもできる。
【発明の効果】
【００６０】
本発明によれば、次のような効果がある。
【００６１】
請求項１に係る樋支持具によれば、樋の形状に応じた樋耳掛止補助具を適宜選択し、その選択したものを連結手段によって予め形成されている樋前耳掛止部及び樋後耳掛止部に装着できるので、樋支持具本体の共用による管理コスト、生産コスト、金型コズト等のコストを軽減できるうえ、既存の樋支持具を利用できる。
【００６２】
請求項２に係る樋支持具によれば、特殊な工具を用いなくても、弾性片の弾性力による確実な連結ができる。
【００６３】
請求項３に係る樋支持具によれば、特殊な工具を用いなくても、手やペンチ、ドライバー等で素早く装着することができる。
【００６４】
請求項４に係る樋耳掛止補助具によれば、請求項１〜請求項３のものと同様の効果が発揮される樋耳掛止補助具として、それ自体を単独で取引することができる。
【図面の簡単な説明】
【図１】本発明に係る樋支持具の前提を参考例として示す分解斜視図
【図２】本発明に係る樋支持具の一実施例を示す分解斜視図
【図３】（ａ）、（ｂ）は、図２の使用態様を説明するための要部の概略側面図
【符号の説明】
Ａ      樋支持具
Ｔ      樋
Ｔ１、Ｔ１’  前耳
Ｔ２、Ｔ２’  後耳
２      樋支持具本体
２２、２２’  樋前耳掛止部
２３、２３’  樋後耳掛止部
２４    連結手段
２５    連結孔
２６    爪片
２７    弾性片
５      樋耳掛止補助具
【図１】
0003640308.tif 000002
【図２】
0003640308.tif 000003
【図３】
0003640308.tif 000004